(57)【要約】【課題】潤滑油の漏れを抑制する。【解決手段】糸切り装置の糸切り動作を実行するアクチュエーター３１と糸調子装置５０の糸張力付与状態から解放状態に切り替える糸緩め部材５１とを連結する連動ワイヤ６２を備え、連動ワイヤは、第一ワイヤ６２１と第二ワイヤ６２２から構成され、第一ワイヤは、一端部が連結部材６４と連結されると共に他端部がアクチュエーターに連結され、第二ワイヤは、一端部が糸緩め部材に連結されると共に他端部が連結部材と連結され、連結部材は、少なくとも前記第一ワイヤと前記第二ワイヤのいずれか一方から他方への毛細管現象による潤滑油の浸透を遮断する構造となっている。【選択図】図２
2018149246.tif 000002
【特許請求の範囲】
【請求項１】
糸切り装置の糸切り動作を実行するアクチュエーターと糸調子装置の糸張力付与状態から解放状態に切り替える糸緩め部材とを連結する連動ワイヤを備え、
前記連動ワイヤは、第一ワイヤと第二ワイヤから構成され、
前記第一ワイヤは、一端部が連結部材と連結されると共に他端部が前記アクチュエーターに連結され、
前記第二ワイヤは、一端部が前記糸緩め部材に連結されると共に他端部が前記連結部材と連結され、
前記連結部材は、少なくとも前記第一ワイヤと前記第二ワイヤのいずれか一方から他方への毛細管現象による潤滑油の浸透を遮断する構造となっていることを特徴とするミシン。
【請求項２】
前記第一ワイヤを挿通するアウターチューブを備え、
前記連結部材は、一端部が閉塞され、他端部が開放されて前記アウターチューブが挿入されるガイドパイプであり、
前記第一ワイヤは、一端部が前記ガイドパイプの内部であって閉塞端部の内面側に連結され、
前記第二ワイヤは、他端部が前記ガイドパイプの閉塞端部の外面側に連結されていることを特徴とする請求項１記載のミシン。
【請求項３】
前記ガイドパイプは、前記閉塞端部を針棒側に向け、開放された端部をミシン立胴部側に向けた状態でミシンフレーム内に装備されていることを特徴とする請求項２記載のミシン。
【請求項４】
前記ガイドパイプは、前記閉塞端部から開放端部に向かって下方に傾斜した状態でミシンフレーム内に装備されていることを特徴とする請求項３記載のミシン。
【請求項５】
前記ガイドパイプと前記アウターチューブとの間にオイルシールが設けられていることを特徴とする請求項２から４のいずれか一項に記載のミシン。
【発明の詳細な説明】
【技術分野】
【０００１】
本発明は、糸緩め機構を有するミシンに関する。
【背景技術】
【０００２】
従来のミシンは、糸切りと糸調子装置による糸張力付与状態の解放とを連動させるために、糸切りを実行する糸切りソレノイドのプランジャと糸調子装置を解放する糸緩め板とをアウターチューブに挿通したワイヤで連結し、プランジャの駆動によりワイヤの張力で糸緩め板を回動させて糸調子装置の張力解放ロッドを作動させていた（例えば、特許文献１参照）。
【先行技術文献】
【特許文献】
【０００３】
【特許文献１】特開２０１３−２１２１７１号公報
【発明の概要】
【発明が解決しようとする課題】
【０００４】
ところで、近年のミシンは、潤滑油の漏れを防ぐために、ミシンベッド部にギアボックスを設け、ギアボックス内にモータの動力を伝達するためのギアや下軸の一部を収納し、ギアボックスを密閉空間とすることで、ミシンベッド部のドライ化が進められている。
一方、ミシンアーム部内は針棒と天秤への潤滑のために潤滑油を飛散供給させている。また、ミシンアーム部内に配置された糸緩め板は、糸切り時の糸張力開放のために、糸切りソレノイドとワイヤで連動する機構になっている。
このため、ミシンアーム内部に飛散した潤滑油が毛細管現象でワイヤを伝わって糸切りソレノイドまで潤滑油が到達してベッド下に配置してあるボトムカバーへ滴下するため、ボトムカバーの清掃の工数が増えることや、潤滑油の補充頻度が多くなるという問題が生じていた。
また、ミシンは、ミシンアーム部側をドライ化し、ミシンベッド部側を潤滑油で潤滑する場合もあり、この場合には、毛細管現象によりワイヤを伝って、ミシンベッド部側の潤滑油がミシンアーム部側に浸入するおそれがあった。
【０００５】
本発明は、潤滑油の不使用箇所への潤滑油漏れを低減することが可能なミシンを提供することをその目的とする。
【課題を解決するための手段】
【０００６】
請求項１記載の発明は、ミシンにおいて、
糸切り装置の糸切り動作を実行するアクチュエーターと糸調子装置の糸張力付与状態から解放状態に切り替える糸緩め部材とを連結する連動ワイヤを備え、
前記連動ワイヤは、第一ワイヤと第二ワイヤから構成され、
前記第一ワイヤは、一端部が連結部材と連結されると共に他端部が前記アクチュエーターに連結され、
前記第二ワイヤは、一端部が前記糸緩め部材に連結されると共に他端部が前記連結部材と連結され、
前記連結部材は、少なくとも前記第一ワイヤと前記第二ワイヤのいずれか一方から他方への毛細管現象による潤滑油の浸透を遮断する構造となっていることを特徴とする。
【０００７】
請求項２記載の発明は、請求項１記載のミシンにおいて、
前記第一ワイヤを挿通するアウターチューブを備え、
前記連結部材は、一端部が閉塞され、他端部が開放されて前記アウターチューブが挿入されるガイドパイプであり、
前記第一ワイヤは、一端部が前記ガイドパイプの内部であって閉塞端部の内面側に連結され、
前記第二ワイヤは、他端部が前記ガイドパイプの閉塞端部の外面側に連結されていることを特徴とする。
【０００８】
請求項３記載の発明は、請求項２記載のミシンにおいて、
前記ガイドパイプは、前記閉塞端部を針棒側に向け、開放された端部をミシン立胴部側に向けた状態でミシンフレーム内に装備されていることを特徴とする。
【０００９】
請求項４記載の発明は、請求項３記載のミシンにおいて、
前記ガイドパイプは、前記閉塞端部から開放端部に向かって下方に傾斜した状態でミシンフレーム内に装備されていることを特徴とする。
【００１０】
請求項５記載の発明は、請求項２から４のいずれか一項に記載のミシンにおいて、
前記ガイドパイプと前記アウターチューブとの間にオイルシールが設けられていることを特徴とする。
【発明の効果】
【００１１】
本発明は、上記構成より、潤滑油漏れを低減することが可能となる。
ことが可能となる。
【図面の簡単な説明】
【００１２】
【図１】発明の実施形態であるミシンの概略図である。
【図２】ミシンの要部の拡大図である。
【発明を実施するための形態】
【００１３】
［実施形態の概略構成］
以下、本発明の実施形態であるミシンについて図１及び図２に基づいて詳細に説明する。
図１はミシン１００をミシン使用者側とは反逆側から見た概略図、図２はミシンアーム部内の一部の構成を拡大し一部断面にして示した拡大図である。
なお、以下の説明において、ミシン１００におけるミシン使用者側（図１の紙面裏側）を前側、使用者側とは反逆側（図１の紙面表側）を後側、後述するミシン立胴部２２側（図１における左側）を左側、針棒側（図１における右側）を右側とする。
【００１４】
本発明の実施形態であるミシン１００はいわゆる本縫いミシンであり、一般的な本縫いミシンが備える縫い針、針棒、針上下動機構、布送り機構、釜機構、天秤機構等の各構成を備えているが、これらは周知のものなので説明は省略する。
【００１５】
［ミシンフレーム］
上記ミシン１００は、ミシンフレーム２０を備え、当該ミシンフレーム２０の内部に各構成を設けている。
このミシンフレーム２０は、ミシン１００の全体において下部に位置するミシンベッド部２１と、ミシンベッド部２１の左端部において上方に立設されたミシン立胴部２２と、ミシン立胴部２２の上端部から右側に延設されたミシンアーム部２３とを備えている。
ミシンフレーム２０のミシンベッド部２１に設けたギアボックス（不図示）内は潤滑油が供給されており、当該潤滑油によってギアボックス内の各機構の潤滑が図られている。
また、ミシンアーム部２３内の針棒側と天秤側へは、ミシンベッドのギアボックス内に配置してあるポンプ（不図示）で潤滑油を吸い上げ、ミシンアーム部２３内に潤滑油を飛散させて各機構の潤滑が図られている。
【００１６】
ミシンベッド部２１内には、前述した布送り機構、釜機構が装備されており、さらに、これらに加えて糸切り装置が設けられている。
糸切り装置は、ミシンベッド部２１の右端部の上面に設けられた針板の下側に設けられた固定メスと、当該固定メスとの協働で上糸及び下糸を切断する動メスと、ミシンモーターのトルクを利用して動メスに切断往復動作を付与するカム機構と、カム機構のカムとその従節体との係合状態と非係合状態とを切り替えるアクチュエーターとしての糸切りソレノイド３１とを備えている。
なお、糸切り装置もまた周知の構成であるため、図示並びに全体構成の詳細な説明は省略する。
【００１７】
また、ミシンベッド部２１は、ボトムカバー２１１を備えており、その底部には前後方向に沿った軸回りに回動する押さえ上げレバー４１が垂下支持されている。
押さえ上げレバー４１は、後述する布押さえ４２を布保持状態から引き上げるための人為的な入力手段であり、回動端部に設けられたパッド４１１をミシンの使用者が左方に膝で押すことで回動動作が入力されて、布押さえを退避位置まで上昇させることができる。
【００１８】
ミシンアーム部２３内には、針上下動機構、天秤機構が装備されている。
また、ミシンアーム部２３の右端部には、図示を省略した針棒が上下動可能に支持されている。
【００１９】
［布押さえ］
さらに、ミシンアーム部２３の右端部であって、針棒の近傍には、下端部で布押さえ４２を保持する押さえ棒４３が上下動可能に支持されている。
この押さえ棒４３は、図示しない押さえバネによって常に下方に押圧されており、その押圧力から布押さえの押さえ圧を得ている。
ミシンアーム部２３内において、押さえ棒４３上部の近傍には、当該押さえ棒４３に装備された棒抱きを押し上げることで、布押さえ４２を退避位置まで上昇させるベルクランク状の図示しない押さえ上げリンクが装備されている。
この押さえ上げリンクは、複数のリンク部材、伝達竿部材等を介して、前述した押さえ上げレバー４１の回動支軸に連結されている。従って、押さえ上げレバー４１に回動操作を加えると、押さえ上げリンクが回動し、押さえバネに抗して布押さえ４２を退避位置まで上昇させることができるようになっている。
【００２０】
［糸調子装置］
また、ミシンアーム部２３の前面側であって、前述した押さえ上げリンクの近傍には、糸調子装置５０が装備されている。
この糸調子装置５０は、図２に示すように、上糸を挟持する一対の糸調子皿と、糸調子皿同士を圧接させて上糸に糸張力を付与する糸調子バネと、糸調子バネのバネ圧を調節する調節つまみと、これらを支持する糸調子軸と、糸調子バネを押し戻して一対の糸調子皿が付与する上糸の糸張力を解放する糸緩め部材としての糸緩めピン５１とを備える周知の構成からなる。
【００２１】
糸調子装置５０の一対の糸調子皿と調節つまみは、ミシンアーム部２３の前面外部に設けられ、上糸を一対の糸調子皿に挟み込む操作とバネ圧（糸張力）の調節作業とをミシンの使用者ができるようになっている。
一方、糸緩めピン５１は、ミシンアーム部２３の内側において、糸調子装置５０の後端部に突接されており、その先端部を前方に押し込むことで一対の糸調子皿による上糸への糸張力を解放することができる。
【００２２】
［糸緩め機構］
図２に示すように、糸調子装置５０のすぐ後側には、糸緩め機構６０の糸緩め部材としての糸緩め板６１が装備されている。
糸緩め機構６０は、上記糸緩め板６１と、糸切り装置の糸切りソレノイド３１と糸緩め板６１とを連結する連動ワイヤ６２と、連動ワイヤ６２を挿通するアウターチューブ６３と、一端部が閉塞され、他端部が開放されてアウターチューブ６３の糸緩め板６１側の端部が挿入される連結部材としてのガイドパイプ６４と、ガイドパイプ６４とアウターチューブ６３との間に設けられた二つのオイルシール６６とを備えている。
【００２３】
糸緩め板６１は、前後方向に沿った支軸６１１により、その上端部と下端部とが回動可能に支持されている。
糸緩め板６１の上端部は、連動ワイヤ６２の一端部が連結されており、下端部は、糸調子装置５０の糸緩めピン５１を前方に押し込む入力部６１２を備えている。
入力部６１２は、下斜め前に傾斜した傾斜面を備えており、糸緩め板６１の下端部が後方から見て反時計方向に回動すると、入力部６１２の傾斜面に糸緩めピン５１が当接し、傾斜に沿って糸緩めピン５１を前方に押し込むことができる。
また、糸緩め板６１は、連動ワイヤ６２の弛みが生じないように、常に、後方から見て時計方向に回動を付与する図示しないバネが連結されている。
【００２４】
また、前述した押さえ上げリンクは、糸緩め板６１の後側で隣に並んで配置されており、布押さえ４２を退避位置に上昇させる際には、後方から見て反時計方向に回動する。その際、押さえ上げリンクは、糸緩め板６１に当接し、当該糸緩め板６１も後方から見て反時計方向に回動させる。
このため、布押さえ４２を退避位置に上昇させる際には、糸緩め板６１も連動させて糸調子装置５０の上糸への糸張力を解放させる。
【００２５】
アウターチューブ６３は、内部中空であって、連動ワイヤ６２を挿入することにより、当該連動ワイヤ６２をアウターチューブ６３に沿ってその長手方向に移動可能に支持するガイドである。
このアウターチューブ６３は、一端部がほぼ右方に向けられた状態で糸緩め板６１の左方に配置されており、ミシン立胴部２２を通ってミシンベッド部２１内に至り、他端部が右方に向けられた状態で糸切りソレノイド３１の左側に配置されている。
さらに、アウターチューブ６３は、連動ワイヤ６２と共に移動しないように、ミシンフレーム２０内の各部において支持部材６５で固定支持されている（図１では支持部材６５を一つのみ図示）。
【００２６】
連動ワイヤ６２は、ガイドパイプ６４により連結された第一ワイヤ６２１と第二ワイヤ６２２とから構成されている。
第一ワイヤ６２１は、アウターチューブ６３の全長に渡って挿入されており、第一ワイヤ６２１の一端部は、アウターチューブ６３の一端部から外側に延びてガイドパイプ６４に連結されている。また、第一ワイヤ６２１の他端部は、アウターチューブ６３の他端部から外側に延びて糸切りソレノイド３１のプランジャに連結されている。
第二ワイヤ６２２は、一端部が糸緩め板６１の上端部に連結され、他端部がガイドパイプ６４に連結されている。
【００２７】
ガイドパイプ６４は、内部中空であって、一端部が閉塞され、他端部が開放されている。このガイドパイプ６４は、その開放端部がほぼ左方（ミシン立胴部２２側）に、閉塞端部がほぼ右方（針棒側）に向けられており、開放端部から閉塞端部の閉塞壁面６４１の内面側の近傍までアウターチューブ６３の一端部が挿入されている。この閉塞壁面６４１が、第一ワイヤ６２１と第二ワイヤ６２２のいずれか一方から他方への毛細管現象による潤滑油の浸透を遮断する構造となっている。
そして、アウターチューブ６３の一端部から延出された第一ワイヤ６２１の一端部がガイドパイプ６４の閉塞壁面６４１の内面側（ガイドパイプ６４の中空内部の内周面に連なる面）に形成された有底の挿入穴に挿入され、抜けないように接着、かしめ、溶着等によって固定されている。
また、ガイドパイプ６４の閉塞壁面６４１の外面側（ガイドパイプ６４の外周面に連なる面）の中心には、閉塞端部からガイドパイプ６４を延長する方向に延びる小径の棒状部６４２が形成されており、当該棒状部６４２の先端面に形成された有底の挿入穴に第二ワイヤ６２２の他端部が挿入され、抜けないように接着、かしめ、溶着等によって固定されている。
なお、閉塞壁面６４１の内面側に形成された第一ワイヤ６２１の挿入穴と閉塞壁面６４１の内面側に形成された第二ワイヤ６２２の挿入穴とは、同心上に位置しているが、相互につながってはおらず，分断されている。
【００２８】
また、ガイドパイプ６４内には、ガイドパイプ６４の内周面とアウターチューブ６３の外周面との間での潤滑油の通過を阻止するためのオイルシール６６がアウターチューブ６３の長手方向に並んで二つ装備されている。
【００２９】
［ミシンの糸切りの際の各部の動作］
糸切りは、図示しない操作ペダルによる糸切り実行の入力により実行される。糸切りの開始が入力されると、針上下動を行うミシンモーターが停止に向けて減速を開始し、所定のタイミングで糸切りソレノイド３１が作動し、糸切り装置のカム機構のカムと従節体とを非係合状態から係合状態に切り替える。これにより、ミシンモーターで駆動するカム機構のカムが従節体をカム面に従って所定方向に往復移動させ、動メスに切断往復動作を付与して上糸及び下糸の切断を実行する。
【００３０】
一方、糸切り装置のカム機構のカムと従節体とを係合状態に切り替える際の糸切りソレノイド３１のプランジャは右方に移動し、糸緩め機構６０の連動ワイヤ６２の第一ワイヤ６２１の他端部を糸切りソレノイド３１側に引き寄せる。
これにより、ガイドパイプ６４を介して連結された第二ワイヤ６２２は、糸緩め板６１の上端部を左方に引き寄せ、後方から見て反時計方向に回動させる。これにより、糸調子装置５０の糸緩めピン５１を前方に押し込んで上糸への糸張力を解放する。
つまり、上糸の糸張力が付与されない解放状態で糸切りが実行される。
【００３１】
［ミシンの布押さえの押さえ解放時の各部の動作］
ミシン１００の布押さえ４２の押さえを解放する際には、ミシンに使用者が膝で押さえ上げレバー４１に回動操作を加える。これにより、複数のリンク部材、伝達竿部材等を介して、押さえ上げリンクが後方から見て反時計方向に回動し、布押さえ６２を退避位置まで上昇させる。
そして、押さえ上げリンクの隣に位置する糸緩め板６１が、当該押さえ上げリンクに押されて後方から見て反時計方向に回動する。
これにより、糸緩め板６１が糸調子装置５０の糸緩めピン５１を前方に押し込んで上糸への糸張力を解放する。
つまり、布押さえ６２が退避位置に上昇して被縫製物を解放する際には、上糸の糸張力も解放される。
【００３２】
［実施形態の技術的効果］
上記ミシン１００では、糸緩め機構６０が、アウターチューブ６３を開放端部から挿入し、閉塞端部において、第一ワイヤ６２１と第二ワイヤ６２２とを連結するガイドパイプ６４を備えている。
このため、ミシンアーム部の内部に飛散させている潤滑油が第二ワイヤ６２２に付着し、毛細現象により潤滑油を吸い上げたとしても、第一ワイヤ６２１に到達することはない。また、ガイドパイプ６４及びアウターチューブ６３で第一ワイヤ６２１を保護しているため、ミシンアーム部の内部に飛散させている潤滑油が第一ワイヤ６２１に付着することはない。
したがって、糸切りソレノイド３１への潤滑油の到達並びにボトムカバーへの潤滑油の漏れを防止することが可能である。
【００３３】
また、ガイドパイプ６４は、閉塞端部を針棒側に向け、開放端部をミシン立胴部２２側に向け、閉塞端部から開放端部に向かって下方に傾斜した状態でミシンフレーム２０内に装備されている。
このため、アウターチューブ６３に付着した潤滑油がガイドパイプ６４の開放端部から進入して第一ワイヤ６２１へ付着する可能性を低減し、糸切りソレノイド３１への潤滑油の到達並びにボトムカバーへの潤滑油の漏れをより効果的に防止することが可能である。
【００３４】
また、ガイドパイプ６４とアウターチューブ６３との間にオイルシール６６を設けて、ガイドパイプ６４の開放端部からの潤滑油の侵入を防止しているので、潤滑油が第一ワイヤ６２１へ付着して糸切りソレノイド３１まで伝わることはなく、糸切りソレノイドへの潤滑油の到達並びにボトムカバーへの潤滑油の漏れをより効果的に防止することが可能である。
【００３５】
また、アウターチューブ６３は第一ワイヤ６２１の他端部が糸切りソレノイド３１のプランジャと連結される直近まで第一ワイヤ６２１を覆っており、第一ワイヤ６２１の他端部がアウターチューブ６３の他端部から露出する手前側に設けられたオイルシール（不図示）によってアウターチューブ６３を伝わってきた潤滑油を遮断するため、糸切りソレノイド３１側へ潤滑油が漏出することはない。
【００３６】
［糸緩め機構の他の構成］
上記糸緩め機構６０では、連結部材としてガイドパイプ６４を利用しているがこれに限定されない。連結部材は、第一ワイヤ６２１の一端部と第二ワイヤ６２２の他端部との間に潤滑油を遮断する構造（例えば、潤滑油を浸透しない部材が相互間に介在するような構造）であれば、少なくとも、第一ワイヤ６２１と第二ワイヤ６２２のいずれか一方から他方への毛細管現象による潤滑油の浸透を防ぎ、ドライエリアへの潤滑油の侵入を抑制、低減することが可能である。
この場合、連結部材は、アウターチューブ６３内に挿入可能な棒状の構造とすることで潤滑油の侵入をさらに抑制、低減することが可能である。また、連結部材とアウターチューブ６３との間にオイルシールを設けることで、潤滑油の侵入をさらに効果的に抑制、低減することが可能である。
【００３７】
［その他］
上記実施形態では、本縫いミシンを例示したが、これに限定されない。本発明の特徴的な構成である糸緩め機構６０は、糸切りを実行するアクチュエーターと糸調子装置を解放する糸緩め部材とを連動ワイヤで連動させるいかなるミシンにも適用可能である。
また、上記実施形態では、ミシンアーム部がオイル潤滑のミシンを例示したが、ミシンベッド部側で潤滑油による潤滑を行い、ミシンアーム部をドライ化したミシンにも適用可能である。その場合、ミシンベッド部の潤滑油が毛細管現象により連動ワイヤを伝わってミシンアーム部、特に針棒機構側へ潤滑油が漏出することを防止することができる。
【符号の説明】
【００３８】
２０  ミシンフレーム
２１  ミシンベッド部
２２  ミシン立胴部
２３  ミシンアーム部
３１  ソレノイド（アクチュエーター）
４１  押さえ上げレバー
４３  押さえ棒
５０  糸調子装置
５１  糸緩めピン（糸緩め部材）
６０  糸緩め機構
６１  糸緩め板（糸緩め部材）
６２  連動ワイヤ
６３  アウターチューブ
６４  ガイドパイプ（連結部材）
６５  支持部材
６６  オイルシール
１００  ミシン
２１１  ボトムカバー
６２１  第一ワイヤ
６２２  第二ワイヤ
６４１  閉塞壁面（毛細管現象による潤滑油の浸透を遮断する構造）
【図１】
2018149246.tif 000003
【図２】
2018149246.tif 000004